(57)【特許請求の範囲】
【請求項１】
撮影画像の記録時の情報として第１のアスペクトを設定する設定手段と、
第１のアスペクトでの撮影のための第１の撮影情報と、前記第１のアスペクトとは異なる第２のアスペクトでの撮影のための第２の撮影情報と、を取得する取得手段と、
前記第１の撮影情報に基づき撮影された前記第１のアスペクト及び前記第２のアスペクトの包括領域の撮影画像、前記第１の撮影情報、及び前記第２の撮影情報を関連付けて記録媒体に記憶するよう制御する制御手段と、を備えることを特徴とする撮像装置。
【請求項２】
前記第１及び第２の撮影情報は、スルー画像の表示をしているときに取得した画像から演算することを特徴とする請求項１に記載の撮像装置。
【請求項３】
前記第１の撮影情報は、外光輝度及び露出制御量を含むことを特徴とする請求項１に記載の撮像装置。
【請求項４】
前記第２の撮影情報は、第１の撮影情報に対応する露出制御量との差分の露出制御量であることを特徴とする請求項３に記載の撮像装置。
【請求項５】
前記第２の撮影情報は、ストロボの発光及び非発光の情報を含むことを特徴とする請求項１に記載の撮像装置。
【請求項６】
前記制御手段は、撮影画像のファイルのヘッダに前記第１の撮影情報、及び前記第２の撮影情報を書き込むことを特徴とする請求項１に記載の撮像装置。
【請求項７】
第１のアスペクトでの撮影のための第１の撮影情報、前記第１のアスペクトとは異なる第２のアスペクトでの撮影のための第２の撮影情報、及び前記第１の撮影情報に基づき撮影された前記第１のアスペクト及び前記第２のアスペクトの包括領域の撮影画像を記録媒体から読み出す読出手段と、
撮影画像を現像するためのアスペクトを選択する選択手段と、
前記選択手段により第２のアスペクトが選択された場合、前記包括領域のうち前記第２のアスペクトの領域の画像を、前記第２の撮影情報を用いて現像する現像手段と、を備えることを特徴とする情報処理装置。
【請求項８】
前記第２の撮影情報は、第１の撮影情報に対応する露出制御量との差分の露出制御量であることを特徴とする請求項７に記載の情報処理装置。
【請求項９】
撮影画像の記録時の情報として第１のアスペクトを設定する設定工程と、
第１のアスペクトでの撮影のための第１の撮影情報と、前記第１のアスペクトとは異なる第２のアスペクトでの撮影のための第２の撮影情報と、を取得する取得工程と、
前記第１の撮影情報に基づき撮影された前記第１のアスペクト及び前記第２のアスペクトの包括領域の撮影画像、前記第１の撮影情報、及び前記第２の撮影情報を関連付けて記録媒体に記憶するよう制御する制御工程と、を有することを特徴とする撮像装置の制御方法。
【請求項１０】
第１のアスペクトでの撮影のための第１の撮影情報、前記第１のアスペクトとは異なる第２のアスペクトでの撮影のための第２の撮影情報、及び前記第１の撮影情報に基づき撮影された前記第１のアスペクト及び前記第２のアスペクトの包括領域の撮影画像を記録媒体から読み出す読出工程と、
撮影画像を現像するためのアスペクトを選択する選択工程と、
前記選択工程により第２のアスペクトが選択された場合、前記包括領域のうち前記第２のアスペクトの領域の画像を、前記第２の撮影情報を用いて現像する現像工程と、を有することを特徴とする情報処理方法。
【発明の詳細な説明】
【技術分野】
【０００１】
撮影画像を記録及び／又は再生するために、複数のアスペクトを利用する技術に関する。
【背景技術】
【０００２】
近年、ビデオカメラやデジタルスチルカメラなどの撮像装置は、静止画及び動画を記録及び再生する機能を有している。これらのカメラの中には、非圧縮モード或いは可逆圧縮モードで画像を記録し、撮影後に現像処理を行って、その結果をユーザが確認できるようにする機能を提供しているものもある。
【０００３】
また、特許文献１のカメラは、４：３、１６：９、３：２というように様々なアスペクトを設定して画像を記録できる。さらに、非圧縮モードで記録した画像を、記録時とは異なるアスペクト比で現像処理を行う機能も提案されている。通常、アスペクト比を変更すると、変更前と各種検出に用いる視野が異なるため、変更前と露出やフラッシュ、ホワイトバランス制御量の算出結果が異なる。
【先行技術文献】
【特許文献】
【０００４】
【特許文献１】特開２００７−１１０６９５号公報
【発明の概要】
【発明が解決しようとする課題】
【０００５】
しかしながら、非圧縮等のモードで撮影された画像を記録後に現像処理を行うときにアスペクト設定を変更した場合、以下のような問題が生じる。すなわち、露出及びフラッシュ、及びホワイトバランス制御量は変更前のアスペクト設定（例えば４：３）に対応したものなので、これらの情報を変更後のアスペクト設定（例えば１６：９）の現像処理にそのまま用いると、適切な現像結果が得られない。特許文献１は、アスペクト切り替えの方法は提示するが、上記のような問題が生じる。
【０００６】
本発明は前述の問題点に鑑み、記録後にアスペクトを変更して現像した画像の画質を向上させる。
【課題を解決するための手段】
【０００７】
上記の課題を解決するために、本発明の撮像装置は、撮影画像の記録時の情報として第１のアスペクトを設定する設定手段と、第１のアスペクトでの撮影のための第１の撮影情報と、前記第１のアスペクトとは異なる第２のアスペクトでの撮影のための第２の撮影情報と、を取得する取得手段と、前記第１の撮影情報に基づき撮影された前記第１のアスペクト及び前記第２のアスペクトの包括領域の撮影画像、前記第１の撮影情報、及び前記第２の撮影情報を関連付けて記録媒体に記憶するよう制御する制御手段と、を有することを特徴とする。
【発明の効果】
【０００８】
本発明は、記録後にアスペクトを変更して現像した画像の画質を向上させるという効果が得られる。
【図面の簡単な説明】
【０００９】
【図１】撮像装置の構成例を示すブロック図である。
【図２】動画記録時の測距・測光処理の一例を説明するフローチャートである。
【図３】静止画撮影処理の一例を説明するフローチャートである。
【図４】記録処理の一例を説明するフローチャートである。
【図５】再生処理の一例を説明するフローチャートである。
【図６】現像処理の一例を説明するフローチャートである。
【図７】画像のアスペクトを説明する図である。
【発明を実施するための形態】
【００１０】
以下、本発明の実施形態について図面を参照しながら説明する。
【００１１】
図１は、本実施形態のビデオカメラ（撮像装置）１００の内部構成例を示すブロック図である。本実施形態のビデオカメラ１００は、静止画像及び動画像の両方の画像を撮影する。図１において、レンズユニット１０１は、集光のための固定レンズ群、変倍レンズ群、絞り、変倍レンズ群の動きで移動した結像位置を補正する機能と焦点調節を行う機能とを兼ね備えた補正レンズ群により構成されている。レンズユニット１０１によって、最終的に後述のＣＣＤ１０２の結像面上に被写体像が結像される。ＣＣＤ（ｃｈａｒｇｅ  ｃｏｕｐｌｅｄ  ｄｅｖｉｃｅ）１０２は、光を電荷に変換し撮像信号を生成する機能を有している。なお、図示しないが、レンズユニット１０１及びＣＣＤ１０２は絞り部材及びゲイン調節回路等とともに撮像ｕｎｉｔとして構成され、撮像ｕｎｉｔは、マイコン１０７から送られる制御量に応じて自動露出制御を行う機能を有する。カメラ信号処理部１０３は、ＣＣＤ１０２で生成された撮像信号に所定の処理を施してデジタル画像データを生成し、圧縮伸張回路１０４に出力する機能を有している。ここで所定の処理としては、ホワイトバランス処理、色変換処理、色空間変換処理、階調変換処理、及び輪郭強調処理、等がある。
【００１２】
圧縮伸張回路１０４は、デジタル画像データを圧縮して圧縮動画データ及び圧縮静止画データを生成する機能を有している。また、圧縮伸張回路１０４は、圧縮動画データ又は圧縮静止画データが入力されると、この圧縮動画データ又は圧縮静止画データを伸張する機能も兼ね備えている。
【００１３】
マイクロコンピュータ（以下、マイコン）１０７は、バス１１３を介して装置全体の動作を制御するためのものであり、フラッシュＲＯＭ１０８には、マイコン１０７が実行するプログラムなどが格納されている。また、フラッシュＲＯＭ１０８は、後述するように、各アスペクトでの撮影情報を保持する。メモリ１０９は、マイコン１０７や圧縮伸張回路１０４などによりワークメモリとして使用される。
【００１４】
画像記録媒体１１２は、圧縮伸張回路１０４で生成された圧縮動画像データや圧縮静止画データをＦＡＴファイルシステムなどコンピュータと互換のあるフォーマットに従って記録する。画像記録媒体１１２に対する記録及び再生の制御はマイコン１０７が行う。
【００１５】
表示制御部１０５は、動画又は静止画のデジタル画像データを液晶パネル１０６に表示させる制御を行う。液晶パネル１０６は、デジタル画像データを表示する。表示されるデジタル画像データは、撮影中にカメラ信号処理部からリアルタイムに出力される記録前のデータ、画像記録媒体１１２から再生されたデータ、等である。フラッシュ（ストロボ）１１０は、後述のように、静止画撮影時に用いられるものであり、所定の色温度を有する光を発光する。
【００１６】
操作スイッチ群１１１は、ユーザが操作入力するためのものである。操作スイッチ群１１１には、動画撮影モード、静止画撮影モード、撮影画像を再生させるための再生モード、及び電源オフとするパワーオフモードを選択するためのスイッチなどが設けられている。操作スイッチ群１１１は、動画を記録中に静止画を撮影する指示も入力することができる。また、操作スイッチ群１１１は、後述のアスペクト設定や圧縮モード設定の入力を行う。アスペクトは、４：３、３：２、１６：９というような選択肢の中からユーザが選択できるようになっている。また、圧縮モードは、静止画撮影において、ＪＰＥＧ方式で画像を圧縮する非可逆圧縮モード、ＲＡＷ方式で画像を圧縮する可逆圧縮モードを設定できるようになっている。ここでＲＡＷ方式とは、カメラ信号処理部１０３で処理される前の静止画が圧縮伸張回路１０４に送られ、ランレングス符号化等により可逆圧縮が施される方式である。この方式は、ユーザが撮影後に画質の劣化を伴うことなく伸張及び現像処理を行って、その結果を確認できるようにする機能を実現する。
【００１７】
本実施形態のビデオカメラ１００による動画像データの記録時の処理について説明する。
【００１８】
操作スイッチ群１１１における電源スイッチがユーザにより操作されると、マイコン１０７は各部を制御し、記録準備状態となる。そして、この記録準備状態において、カメラ信号処理部１０３は、ＣＣＤ１０２で生成された撮像信号からデジタル動画像データを生成し、表示制御部１０５に送る。表示制御部１０５は、カメラ信号処理部１０３で生成されたデジタル動画像データに基づいて、被写体の画像を液晶パネル１０６に、いわゆるスルー画像として表示する。
【００１９】
この記録準備状態において、操作スイッチ群１１１における記録トリガスイッチが操作されると、マイコン１０７は各部を制御し、記録処理を実行する。まず、カメラ信号処理部１０３は、ＣＣＤ１０２で生成された撮像信号からデジタル動画像データを生成し、フレーム毎に順次、画像記録媒体１１２に格納する。なお、カメラ信号処理部１０３は、表示制御部１０５にも生成したデータを並行して送っている。マイコン１０７は、画像記録媒体１１２に格納されたデジタル動画像データを読み出し、圧縮伸張回路１０４に送る。圧縮伸張回路１０４は、ＭＰＥＧ方式に従って符号化して圧縮動画像データを生成し、マイコン１０７は、圧縮伸張回路１０４により生成されたデータを再び画像記録媒体１１２に格納する。
【００２０】
動画像データの記録中に、操作スイッチ群１１１における記録トリガスイッチが操作されると、マイコン１０７は、画像記録媒体１１２への記録を停止し、記録開始から停止までの期間の動画像データを１つのＭＰＥＧファイルとして生成する。
【００２１】
本実施形態では、ユーザは、操作スイッチ群１１１を用いて、画像記録媒体１１２に静止画データを記録する際の静止画のアスペクトを設定することができる。具体的には、３：２アスペクトモード、４：３アスペクトモード、及び１６：９アスペクトモードの３つのモードでアスペクトを設定可能にしている。ここで設定される各アスペクトの間で各種検出に用いる視野が異なる。したがって、ＡＥ（自動露出）処理、ＡＷＢ（オートホワイトバランス）処理、ＥＦ（フラッシュプリ発光）処理を行う際の制御量の算出結果が異なることになる。本実施形態においては、撮影時に設定されたアスペクトとは異なるアスペクトにおける露出制御情報・フラッシュ制御情報・ホワイトバランス制御情報等を取得し、撮影情報として画像記録媒体１１２に同時に記録する。
【００２２】
本実施形態では、動画像を撮影中に静止画を撮影する動作を例に、上記の撮影情報の記録を説明する。図２は、動画像データを撮影及び記録している状態における、各種検出及び撮影制御の一例を説明するフローチャートである。なお、前述の記録準備状態においても同様の検出及び撮影制御処理を行っている。
【００２３】
まず、マイコン１０７は、ＣＣＤ１０２から電荷信号を読み出し、カメラ信号処理部１０３に撮影画像データを逐次読み込む（Ｓ２０１）。カメラ信号処理部１０３は、この逐次読み込まれた画像データを用いて、ＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００２４】
なお、ここでの各処理は、撮影した全画素数のうちの必要に応じた特定の部分を切り取って抽出し、演算に用いている。これにより、ＴＴＬ方式のＡＥ、ＥＦ、ＡＷＢ、ＡＦの各処理において、中央重点モード、全体平均モード、評価モードの各モード等の異なるモード毎に最適な演算を行うことが可能となる。さらに、ユーザが設定したアスペクトに応じて画像の抽出エリアを変えて、所望のエリアでの演算処理を行う。例えば、中央重点モードについては、４：３と１６：９では中央とみなす検出領域のアスペクトも異なる。全体平均モードについては、４：３と１６：９では検出に用いる全体領域のアスペクトや視野（サイズ）が異なる。
【００２５】
カメラ信号処理部１０３での演算結果を用いて、マイコン１０７は露出（ＡＥ）が適正か否かを判断する（Ｓ２０２）。この判断の結果、露出が適切でないと判断されれば、マイコン１０７は、ＡＥ制御を行う（Ｓ２０３）。次に、Ｓ２０３のＡＥ制御で得られた外光輝度を用いて、マイコン１０７はフラッシュが必要か否かを判断する（Ｓ２０４）。この判断の結果、マイコン１０７は、フラッシュが必要ならばフラッシュ・フラグをセットし、フラッシュ１２１を充電する（Ｓ２０５）。その後、Ｓ２０１に戻って前述した処理を行う。
【００２６】
一方、ステップＳ２０２の判断の結果、露出（ＡＥ）が適正と判断したならばステップＳ２１０に進み、マイコン１０７は、露出及びフラッシュ情報記憶処理を行う。具体的には、設定されたアスペクト（第１のアスペクト）で検出した外光輝度及びＡＥ制御に用いた露出制御量、フラッシュ・フラグをフラッシュＲＯＭ１０８に記憶させる。また、ここで、ユーザが指定したアスペクト比と異なるアスペクト（第２のアスペクト）での露出及びフラッシュ情報を記憶する。例えば、ユーザが４：３記録モードを設定しているときには、マイコン１０７は、露出及びフラッシュ制御は４：３での抽出エリアに従って検出及び制御する。そして、それ以外の３：２や１６：９での検出及び制御情報は演算のみを行い、制御された設定値との差分情報をフラッシュＲＯＭ１０８に記憶させる。
【００２７】
次に、Ｓ２０６において、カメラ信号処理部１０３での演算結果及びＡＥ制御で得られた外光輝度を用いて、マイコン１０７はホワイトバランス（ＡＷＢ）が適正か否かを判断する。この判断の結果、適正でない場合にはＳ２０７に進み、カメラ信号処理部１０３を用いて色処理のパラメータを調節してＡＷＢ制御を行う。その後、Ｓ２０１に戻って前述した処理を繰り返し行う。
【００２８】
Ｓ２０６の判断の結果、ホワイトバランス（ＡＷＢ）が適正と判断したならば、Ｓ２１１に進み、マイコン１０７は、ユーザ設定されたアスペクトの色温度及びホワイトバランス係数をフラッシュＲＯＭ１０８に記憶する。また、マイコン１０７は、ユーザ指定のアスペクト以外でのホワイトバランス情報をフラッシュＲＯＭ１０８に記憶する。
【００２９】
次に、Ｓ２０８において、マイコン１０７は、ＡＥ制御及びＡＷＢ制御で得られた撮影情報を用いて、測距（ＡＦ）が合焦か否かを判断する。この合焦判断の結果、合焦ではない場合にはＳ２０９に進み、ＡＦ制御を行う。ここで行われるＡＦ制御は、マイコン１０７が図示しないレンズ駆動部を制御して行う。一方、Ｓ２０８の判断の結果、測距（ＡＦ）が合焦と判断したならば、レンズ位置情報等の情報をフラッシュＲＯＭ１０８に記憶し、測距・測光処理を終了してメインルーチン（図示せず）にリターンする。
【００３０】
図３は、図２の動画撮影動作を行っている際に、静止画の撮影処理の指示を行った場合の詳細な手順の一例を説明するフローチャートである。なお、静止画の撮影処理の指示は、操作スイッチ群１１１に設けられている静止画レリーズボタンを全押し操作（ＳＷ２操作）することにより入力される。
【００３１】
指示が入力されると、マイコン１０７は、フラッシュＲＯＭ１０８に記憶される露出情報に従って露出制御を行い、絞り機能を有するレンズユニット１０１を絞り値に応じて開放してＣＣＤ１０２を露光する（Ｓ３０１、Ｓ３０２）。
【００３２】
次に、Ｓ３０３において、フラッシュ・フラグによりフラッシュが必要か否かを判断する。この判断の結果、必要な場合はＳ３０４に進み、フラッシュを発光させる。その後、Ｓ３０５に進む。また、Ｓ３０３の判断の結果、フラッシュが必要でない場合には、Ｓ３０３からＳ３０５に直接進む。
【００３３】
Ｓ３０５において、マイコン１０７は、露出情報に従ってＣＣＤ１０２の露光終了を待機する。そして、露光終了であると判断した場合には、Ｓ３０６に進み、レンズユニット１０１のシャッターを閉じる。次に、Ｓ３０７に進み、マイコン１０７は、ＣＣＤ１０２が電荷信号を読み出し、カメラ信号処理部１０３が撮影画像を処理するように制御し、画像記録媒体１１２に撮影画像のデータを書き込む。
【００３４】
このとき、圧縮率が可逆圧縮モードに設定されていたならば、撮影画像データのアスペクト比はユーザにより設定されたエリアではなく、図７に示すような全てのアスペクトモードを包括するエリアの画像を書き込む。
【００３５】
次に、Ｓ３０８に進み、カメラ信号処理部１０３は、設定された撮影モードに応じて、色処理を順次行う。処理を行った後、ステップＳ３０９に進み、マイコン１０７は、処理を終えた画像データを画像記録媒体１１２に書き込む。一連の処理を終えたならば、撮影処理ルーチンを終了し、図２のメインルーチンにリターンする。
【００３６】
図４は、図３のステップＳ３０９における記録処理の詳細な処理手順を説明するフローチャートである。
【００３７】
Ｓ４００において、マイコン１０７は、画像記録媒体１１２に書き込まれた画像データを読み出し、カメラ信号処理部１０３が、ユーザ設定されたアスペクトに対応する情報に基づき読み出した画像データを現像処理するよう制御する。そして、マイコン１０７は、カメラ信号処理部１０３が現像処理した画像を表示に適した画像サイズに縮小処理するよう制御する。さらに、マイコン１０７は、圧縮伸張回路１０４が縮小した画像をＪＰＥＧ方式で圧縮するよう制御することで、表示用の画像を作成する。
【００３８】
Ｓ４０２において、マイコン１０７は、画像記録媒体１１２に書き込まれた画像データを読み出して、設定したモードが可逆圧縮モードであれば画像圧縮処理を圧縮伸張回路１０４に行わせる。その後、Ｓ４０３において、Ｓ２１０で記憶した露出及びフラッシュ情報とＳ２１１で記憶したホワイトバランス情報をフラッシュＲＯＭ１０８から読み出す。ここで読み出すのは、ユーザ設定のアスペクトに対応する情報のみでなく、ユーザ設定されていないアスペクトに対応する情報も読み出す。
【００３９】
次に、Ｓ４０４において、マイコン１０７は、画像記録媒体１１２へ可逆圧縮した画像データの書き込みを行う。画像データは静止画ファイルの形式（ＲＡＷ形式）で記録される。そして、そのヘッダ情報としてユーザ設定及びユーザ非設定の両方のアスペクト設定に対応する露出及びフラッシュ情報とホワイトバランス情報とが記録される。また、ステップＳ４０１で作成した表示用画像も記録される。ここで、記録媒体への書き込みが終わったならば、記録処理ルーチンを終了する。
【００４０】
図５は、再生処理手順の一例を説明するフローチャートである。マイコン１０７は、再生モードになったら、画像記録媒体１１２から、最後に撮影された画像データのファイルの読み出しを行う（Ｓ５０１）。次に、Ｓ５０２に進み、Ｓ５０１で読み出したファイルの表示用画像を液晶パネル１０６に画像表示させる。次に、Ｓ５０３において、モードダイアルの状態を判断する。この判断の結果、モードダイアルが撮影モードに変更されていたらメインルーチンにリターンして、撮影モード処理の先頭へ進む。
【００４１】
一方、ステップＳ５０３の判断の結果、再生モードのままであればＳ５０４に進み、操作スイッチ群１１１の状態を調べ、画像送りキーが押されているか否かを判断する。この判断の結果、画像送りキーが押されていたらＳ５０５に進む。Ｓ５０５においては、現在表示されている画像の次に撮影された画像データのファイルを画像記録媒体１１２から読み出して、Ｓ５０２の処理に戻る。
【００４２】
また、Ｓ５０４の判断の結果、画像送りキーが押されていなかった場合にはＳ５０６に進む。Ｓ５０６においては、画像戻しキーが押されているか否かを判断する。この判断の結果、画像戻しキーが押されていたらＳ５０７に進む。Ｓ５０７においては、現在表示されている画像の前に撮影された画像データのファイルを画像記録媒体１１２から読み出して、Ｓ５０２の処理に戻る。また、Ｓ５０６の判断の結果、画像戻しキーが押されていなかった場合にはＳ５０８に進む。
【００４３】
Ｓ５０８においては、現像処理を開始するキーが操作されているか否かを判断する。この判断の結果、現像処理を開始するキーが操作されていた場合にはＳ５０９に進む。Ｓ５０９においては、読み出しているファイルの非圧縮画像を画像記録媒体１１２に一時記憶し、カメラ信号処理部１０３及び圧縮伸張回路１０４を使用して現像処理を実行する。現像処理が終わった画像は圧縮伸張回路１０４で圧縮処理等を行い、画像記録媒体１１２に書き込む。この現像処理Ｓ５０９の詳細は図６を用いて後述する。
【００４４】
図６は、図５のＳ５０９における現像処理の詳細な処理手順を説明するフローチャートである。本実施形態においては、事後に行われる現像処理において、撮影時に設定されたアスペクト（４：３）と異なるアスペクト（１６：９）が選択可能な場合についてする。
【００４５】
現像処理が開始されると、Ｓ６０１において、マイコン１０７は、操作スイッチ群１１１を介して設定される現像処理を行うアスペクトを調べる。そして、その調べた結果と記録時のアスペクト（４：３）とが同じであるか否かを、Ｓ６０２で判断する。この判断の結果、記録時と同じアスペクトが設定されていたならＳ６０３に進み、ヘッダから記録時と同じアスペクトでの外光輝度の情報及び露出制御量の情報を読み出す。
【００４６】
次に、Ｓ６０４に進み、マイコン１０７は、ホワイトバランス係数を算出する。具体的には、マイコン１０７は、記録時のアスペクト（４：３）の領域の画像を所定の小領域にブロック分割し、各ブロックのＲＧＢ値についてブロック積分する。そして、マイコン１０７は、全ブロックの積分値のうち白とみなせる領域の値について平均値を得ることによりホワイトバランス係数を算出する。ここで、マイコン１０７は、ヘッダからフラッシュ・フラグも読み出す。そして、これを参照して、フラッシュが発光していたと判断できたら、マイコン１０７は、包括領域の画像から記録時のアスペクト比（４：３）の領域の外光輝度を再算出する。そして、マイコン１０７は、Ｓ６０３で読み出した外光輝度と再算出した外光輝度との差分を求める。読み出した外光輝度は静止画撮影直前の動画撮影時であって、ストロボ非発光状態（図２のＳ２１０）において取得されたものである。したがって、ここで求めた差分値は、静止画画像に対してどれだけストロボ光が寄与しているかを示すものである。本実施形態では、この差分の大きさが大きいほど、先に算出した撮影シーンの色温度（例えば４５００Ｋ）に基づくホワイトバランス係数をストロボ光源（例えば５０００Ｋ）に対応した係数の側にシフトさせたストロボホワイトバランス係数を算出する。
【００４７】
一方、Ｓ６０２の判断の結果、選択したアスペクト比が記録時と異なっていたならばＳ６０５に進み、選択したアスペクト比（１６：９）での露出及びフラッシュの差分情報を読み出す。次に、Ｓ６０６に進み、露出制御量の差分があれば輝度補正（デジタルゲイン補正）を行う補正量を演算する。輝度補正の補正量は、以下のような変換式で決定する。
ΔＧａｉｎ＝２＾（ΔＥｖ）
ここで、ΔＧａｉｎ：輝度補正用デジタルゲインであり、ΔＥｖ：アスペクトによる露出制御量の差分値である。“＾”はべき乗を示す。
【００４８】
次に、Ｓ６０７において、選択したアスペクト比（１６：９）での外光輝度情報を参照する。次に、Ｓ６０８に進み、マイコン１０７は選択したアスペクト比（１６：９）の領域についてステップＳ６０４と同様の手法でホワイトバランス係数を算出する。また、マイコン１０７は、フラッシュ・フラグを参照し、フラッシュが発光していると判断できたらＳ６０７で読み出した外光輝度を用いてステップＳ６０４と同様のストロボホワイトバランス係数を算出する。ステップＳ６０４と異なるのは、選択されたアスペクト比（１６：９）の領域に関しての輝度の差分値を求める点である。
【００４９】
Ｓ６０３及びＳ６０４の処理、或いはＳ６０５〜Ｓ６０８の処理を実行して各種パラメータが決定されたら、次に、Ｓ６０９において、マイコン１０７は、それらのパラメータを用いて設定又は変更されたアスペクトの領域の現像処理を行う。そして、Ｓ６１０で、マイコン１０７は、圧縮伸張回路１０４がＳ６０９で生成された各アスペクトの画像をＪＰＥＧ方式で圧縮処理を行うように制御し、Ｓ６１０で画像記録媒体１１２へ書き込みを行う。
【００５０】
以上説明したように、本実施形態では、設定されたアスペクト以外のアスペクトの撮影情報を静止画撮影の前に取得している。これにより、事後的に異なるアスペクトで現像する際に、適切な撮影情報を用いることができるので、より高画質な画像を得ることができる。包括エリアの画像を有していれば、事後的に所望のアスペクトの領域を切り出してその画像の中から撮影情報を推定する手法も考えられるが、本実施形態のように、実際の制御に利用された撮影情報を用いるほうが、より正確である。特に、本実施形態のように、本撮影の静止画と撮影情報を取得する画像（スルー画像）とが異なる場合は、本実施形態の手法が効果的である。
【００５１】
（他の実施形態）
本実施形態では現像処理をカメラ内で行う例を示したが、これはカメラ内での処理に限られない。例えば、パーソナルコンピュータで実行可能なソフトウェアなどのカメラ外の情報処理装置で現像処理を行う場合でも同様の処理を適応することができる。その場合、情報処理装置のＣＰＵが記録媒体に記録された画像と撮影情報とを読出して、上記図４の処理を実行することになる。また、アスペクトも１：１等の別のアスペクト比を用いてもよい。また、アスペクト比による画像の切り出しエリアも、図７の例では全てのアスペクトで記録画素数が同一になるようなエリア設定を示しているが、アスペクト設定が変わったときに記録画素数が増減するような画像の切り出しエリアを設定しても構わない。
【００５２】
また、上記実施形態では、動画撮影中に静止画を撮影する例を用いて、本発明を説明したが、これに限定はされない。例えば、記録はしない電子ビューファインダー機能を実行中に静止画を撮影するなど、静止画撮影前のフレームを使ったスルー画像の表示動作を行うものであれば、同様に、本発明は適用されうる。露出及びフラッシュ、ホワイトバランス、及び測距情報の記憶のタイミングも、限定されるものではない。例えば、静止画レリーズボタンの半押し（ＳＷ１）により、ＡＥ，ＡＷＢ，ＡＦの制御情報をロックさせたタイミングで記憶されるようにしてもよい。また、上記実施形態では、ＲＡＷ方式として可逆圧縮した画像データを記録するようにしたが、非圧縮の画像データを記録するようにしてもよい。また、上記実施形態では、撮影情報がファイルヘッダに記録する例を示したが、本発明は、これに限らない。例えば、マイコンが画像ファイルと別に撮影情報を記録しておき、両者の関係をテーブル化しておく等、画像ファイルとの関連付けが保たれれば、撮影情報は、他の手法を用いて記録されてもよい。
【符号の説明】
【００５３】
１０３  カメラ信号処理部
１０４  圧縮伸張回路
１０７  マイクロコンピュータ
【図１】
0005610860.tif 000002
【図２】
0005610860.tif 000003
【図３】
0005610860.tif 000004
【図４】
0005610860.tif 000005
【図５】
0005610860.tif 000006
【図６】
0005610860.tif 000007
【図７】
0005610860.tif 000008